(57)【要約】【課題】電気錠装置の解錠時の操作性を向上させる。【解決手段】携帯端末のＣＰＵが、アプリケーションプログラムに従って、ユーザに解錠のための暗証番号を入力させ、入力された暗証番号の認証処理を行う。認証に成功した場合に携帯端末のＣＰＵ、認証成功フラグをセットし、認証情報を無線通信により電気錠装置に送信する。一方、電気錠装置のコントローラは、携帯端末より認証情報を取得すると、この認証情報をもとに施解錠機構を解錠する。解錠完了後、解錠完了を携帯端末に通知する。携帯端末のＣＰＵは、この通知を受けて認証成功フラグをリセットする。【選択図】図７
2014190122.tif 000002
【特許請求の範囲】
【請求項１】
錠前を電気的に施解錠する施解錠機構と、
無線通信を行う無線通信部と、
ユーザに解錠のための暗証番号を入力させ、この入力された暗証番号の認証処理を行い、前記認証に成功した場合に認証情報を無線送信することが可能な携帯端末より、前記無線通信部を通じて前記認証情報を取得し、この認証情報をもとに前記施解錠機構を解錠させる制御部と
を具備する電気錠装置。
【請求項２】
請求項１に記載の電気錠装置であって、
解錠ボタンをさらに具備し、
前記制御部は、前記解錠ボタンが操作されたこと検出したとき、前記無線通信部を起動させて前記携帯端末との接続を試みる
電気錠装置。
【請求項３】
請求項１に記載の電気錠装置であって、
前記制御部は、前記認証情報をもとに前記施解錠機構を解錠させた場合にその旨を前記携帯端末に無線で通知する
電気錠装置。
【請求項４】
請求項１ないし３のいずれか１項に記載の電気錠装置を解錠させるための暗証番号の入力をユーザより受け付けるステップと、
前記入力された暗証番号の認証を行うステップと、
前記認証に成功したことを示す認証情報を前記電気錠装置に無線で送信するステップと
をコンピュータに実行させるプログラム。
【請求項５】
請求項４に記載のプログラムであって、
前記認証に成功すると前記認証に成功したことを示すフラグをセットし、前記電気錠装置より解錠が完了した通知を受けて、前記フラグをリセットするステップ
をコンピュータにさらに実行させるプログラム。
【請求項６】
携帯端末の制御部が、ユーザに解錠のための暗証番号を入力させるステップと、
前記携帯端末の制御部が、前記入力された暗証番号の認証処理を行うステップと、
前記携帯端末の制御部が、前記認証に成功した場合に認証情報を無線通信により電気錠装置に送信するステップと、
前記電気錠装置の制御部が、前記携帯端末より前記認証情報を取得するステップと、
前記電気錠装置の制御部が、前記取得した認証情報をもとに解錠を行うステップと
を有する電気錠装置の解錠方法。
【請求項７】
請求項６に記載の電気錠装置の解錠方法であって、
前記電気錠装置の制御部が、ユーザから無線通信の開始の指示を受け付ける解錠ボタンの操作を検知するステップと、
前記電気錠装置の制御部が、前記解錠ボタンの操作されたこと検知したとき、前記携帯端末との無線通信を開始させるステップと
をさらに有する電気錠装置の解錠方法。
【請求項８】
電気錠装置と、ユーザに前記電気錠装置を解錠させるための暗証番号を入力させ、この入力された暗証番号の認証処理を行い、前記認証に成功した場合に認証情報を無線送信することが可能な携帯端末と、を具備し、
前記電気錠装置は、
錠前を電気的に施解錠する施解錠機構と、
無線通信を行う無線通信部と、
前記携帯端末より、前記無線通信部を通じて前記認証情報を取得し、この認証情報をもとに前記施解錠機構を解錠させる制御部と
を具備する電気錠システム。
【発明の詳細な説明】
【技術分野】
【０００１】
本発明は、電気的な制御により錠前の施解錠が行われる電気錠装置、この電気錠装置を解錠させる暗証番号を入力することが可能なコンピュータ用のプログラム、電気錠装置の解錠方法および電気錠システムに関する。
【背景技術】
【０００２】
従来より、各種扉の錠前部分には、不審者の侵入を回避するため、防犯性に富んだ電気錠装置が採用されている。この種の電気錠装置では、特定の施解錠信号により、例えばモータやソレノイドなどの駆動手段を駆動し、デッドボルトを扉枠のストライクの係止穴に対して進退させることで電気錠を施解錠している。
【０００３】
ところで、近年では、通常の鍵穴挿入式の金属製の鍵に代わり、例えばリモコンキーや非接触式ＩＤカードなどのＩＤキーを用いた電気錠システムが提案されている。この種の電気錠システムでは、予め施解錠用のＩＤコードをＩＤキーに記憶させておき、電気錠の施解錠時にＩＤキーからＩＤコードを読み取り、読み取ったＩＤコードを正常認証したときのみ電気錠を施解錠制御している。
【０００４】
さらに、近年では、リモコンキーや非接触式ＩＤカードなどのＩＤキーに代えて携帯電話などの携帯端末を使って電気錠を解錠する電気錠システムも提案されている。この種の電気錠システムでは、携帯端末を使ってユーザによって暗証番号が入力されると、その暗証番号が携帯端末の無線通信機能を使って電気錠に送信される。電気錠のコントローラは、受信した暗証番号と予め登録された暗証番号と比較し、一致すれば、電気錠を解錠するように制御を行う（特許文献１参照）。
【先行技術文献】
【特許文献】
【０００５】
【特許文献１】特開２０１１−９４２９２号公報
【発明の概要】
【発明が解決しようとする課題】
【０００６】
特許文献１に開示される技術によれば、電気錠の制御機と携帯端末との間で無線によりデータ伝送路が確立したことをもって、携帯端末において暗証番号の入力画面などの表示を含むアプリケーションプログラムが起動される仕組みとなっている。
【０００７】
しかし、このような仕組みでは、ユーザが携帯端末に暗証番号を入力し、携帯端末から電気錠の制御機にその暗証番号が送信されるまでの間、電気錠の制御機と携帯端末との間で無線によりデータ伝送路が確立されている必要がある。このためユーザは、携帯端末においてアプリケーションプログラムが起動されたなら、電波環境が変化しないように、その場に立ち止まって暗証番号を入力しなければならなかった。電気錠の制御機の近くで暗証番号を入力することが最も確実であるが、結果的に扉の手前でユーザが急いで暗証番号を入力するなど、慌しい操作が強いられる。
【０００８】
また、電気錠の制御機からデバイスの探索のための電波を定常的に放出させるように構成された場合、消費電力が高くなる。電気錠および制御機を商用電源に接続して使用する場合はよいが、電池だけで動作させるスタンドアロンタイプの電気錠の場合には、定常的に電波を放出させることによる電力消費は、電池交換サイクルを著しく早め、保守コストが増大する。
【０００９】
その他、スタンドアロンタイプの電気錠装置には様々な課題が残されており、その解決が求められている。
【００１０】
以上のような事情に鑑み、本発明の目的は、解錠時の操作性を向上させることのできる電気錠装置、プログラム、電気錠装置の解錠方法および電気錠システムを提供することにある。
【課題を解決するための手段】
【００１１】
上記目的を達成するため、本発明の一形態に係る電気錠装置は、錠前を電気的に施解錠する施解錠機構と、無線通信を行う無線通信部と、ユーザに解錠のための暗証番号を入力させ、この入力された暗証番号の認証処理を行い、前記認証に成功した場合に認証情報を無線送信することが可能な携帯端末より、前記無線通信部を通じて前記認証情報を取得し、この認証情報をもとに前記施解錠機構を解錠させる制御部とを具備する。
【００１２】
ここで、携帯端末は、ユーザに解錠のための暗証番号を入力させ、この入力された暗証番号の認証処理をローカルに行い、さらに、認証に成功した場合に認証情報を無線送信することを可能としたものである。本発明の一形態に係る電気錠装置において、制御部は、無線通信部を通じて、携帯端末より暗証番号の認証に成功したことを示す認証情報を取得した場合、この認証情報をもとに施解錠機構を解錠させるように制御を行う。すなわち、本発明の電気錠装置は、携帯端末との無線接続の状態に関わらず、ユーザからの暗証番号の入力、暗証番号の認証などが携帯端末上で完結する。このため、ユーザは、随時、移動しながらであっても暗証番号を入力できる。よって、本発明により、解錠時の操作性が向上する。
【００１３】
本発明に係る電気錠装置は、解錠ボタンをさらに具備し、前記制御部は、前記解錠ボタンが操作されたこと検出したとき、前記無線通信部を起動させて前記携帯端末との接続を試みるものであってよい。
【００１４】
本発明によれば、解錠ボタンがユーザ３により操作されてはじめて電気錠装置の制御部は携帯端末との無線通信による接続を試みる。解錠ボタンがユーザにより操作されたということは、携帯端末が電気錠装置から十分近い位置に存在することを意味するので、電気錠装置と携帯端末との無線接続が確立することがほぼ保証される。したがって、電気錠装置の無線通信部が無駄に電力を消費させている状況が生まれなくなる。また、電池の電力だけで動作させるスタンドアロンタイプの電気錠装置において、電池交換サイクルを引き伸ばすことができるなど、保守の簡素化を図れる。
【００１５】
さらに、本発明では、解錠ボタンがユーザにより操作される以前に、携帯端末において暗証番号の入力とその認証が完了しているので、解錠ボタンがユーザにより操作された後、無線通信部を通じて携帯端末から認証情報を受け取るだけでよい。これにより、電気錠装置では、解錠ボタンがユーザ３により操作されてから速やかに解錠の制御に移行することができる。
【００１６】
本発明に係る電気錠装置は、前記制御部は、前記認証情報をもとに前記施解錠機構を解錠させた場合にその旨を前記携帯端末に無線で通知するものであってよい。
【００１７】
携帯端末は、電気錠装置から、その通知を受けて、認証結果を初期化することができる。これにより、一回の暗証番号の入力および認証に対して一回の解錠制御を対応付けることができる。言い換えれば、解錠の度にユーザは毎回暗証番号を入力しなければならない仕組みを確保することができる。
【００１８】
本発明の別の側面に係るプログラムは、電気錠装置を解錠させるための暗証番号の入力をユーザより受け付けるステップと、前記入力された暗証番号の認証を行うステップと、前記認証に成功したことを示す認証情報を前記電気錠装置に無線で送信するステップとをコンピュータに実行させるプログラムである。
【００１９】
上記のプログラムは、前記認証に成功すると前記認証に成功したことを示すフラグをセットし、前記電気錠装置より解錠が完了した通知を受けて、前記フラグをリセットするステップをさらに有するものであってよい。
これにより、解錠の度にユーザは毎回暗証番号を入力しなければならない仕組みを確保することができる。
【００２０】
本発明の別の側面に係る電気錠装置の解錠方法は、携帯端末の制御部が、ユーザに解錠のための暗証番号を入力させるステップと、前記携帯端末の制御部が、前記入力された暗証番号の認証処理を行うステップと、前記携帯端末の制御部が、前記認証に成功した場合に認証情報を無線通信により電気錠装置に送信するステップと、前記電気錠装置の制御部が、前記携帯端末より前記認証情報を取得するステップと、前記電気錠装置の制御部が、前記取得した認証情報をもとに解錠を行うステップとを有する。
【００２１】
上記の電気錠装置の解錠方法は、前記電気錠装置の制御部が、ユーザから無線通信の開始の指示を受け付ける解錠ボタンの操作を検知するステップと、前記電気錠装置の制御部が、前記解錠ボタンの操作されたこと検知したとき、前記携帯端末との無線通信を開始させるステップとをさらに含むものであってよい。
【００２２】
本発明の別の側面に係る電気錠システムは、電気錠装置と、ユーザに前記電気錠装置を解錠させるための暗証番号を入力させ、この入力された暗証番号の認証処理を行い、前記認証に成功した場合に認証情報を無線送信することが可能な携帯端末と、を具備し、前記電気錠装置は、錠前を電気的に施解錠する施解錠機構と、無線通信を行う無線通信部と、前記携帯端末より、前記無線通信部を通じて前記認証情報を取得し、この認証情報をもとに前記施解錠機構を解錠させる制御部とを具備する。
【発明の効果】
【００２３】
本発明によれば、解錠時の操作性が向上する。
【図面の簡単な説明】
【００２４】
【図１】本発明の一実施形態に係る電気錠システムの全体的な構成を示す図である。
【図２】扉に固定された電気錠装置の外観図である。
【図３】電気錠装置の電気的な構成を示すブロック図である。
【図４】携帯端末の外観を示すブロック図である。
【図５】携帯端末の電気的な構成を示すブロック図である。
【図６】電気錠解錠用のアプリケーションプログラムに基づく携帯端末の動作を示すフローチャートである。
【図７】電気錠装置がノーマルモードで動作している場合の電気錠装置と携帯端末の動作を示すフローチャートである。
【図８】電気錠装置が省電力モードで動作している場合の電気錠装置と携帯端末の動作を示すフローチャートである。
【発明を実施するための形態】
【００２５】
以下、図面を参照しながら、本発明の実施形態を説明する。
図１は、本発明の一実施形態に係る電気錠システムの全体的な構成を示す図である。
同図に示すように、本実施形態の電気錠システム１０は、電気錠装置１００と、携帯端末２００とで構成される。
【００２６】
電気錠装置１００は、扉１に固定され、電気的な制御によって扉１の施錠および解錠を行う装置である。
携帯端末２００は、例えば、携帯電話、スマートフォンなど、ユーザ３が携帯可能な情報処理端末である。
電気錠装置１００と携帯端末２００とは互いに無線による伝送路５により相互に接続可能とされている。無線通信方式としては、電波を使用して双方向に無線通信が可能な方式、より具体的には、ＮＦＣ（Near Field Communication：近距離無線通信）、Bluetooth（登録商標）（短距離無線通信）、無線ＬＡＮ、Ｗｉ−Ｆｉ（Wireless Fidelity）、Ｗｉ−Ｆｉ ｄｉｒｅｃｔなどが挙げられる。
【００２７】
［電気錠装置１００の構成］
次に、電気錠装置１００の構成を詳細に説明する。
図２は、扉１に固定された電気錠装置１００の外観図である。
電気錠装置１００は、室外側のケース１０１と室内側のケース１０２とを有する。室外側のケース１０１と室内側のケース１０２は、扉１に貫通して設けられた埋め込み部を扉１の両側から挟み込むようにして連結具（図示せず）によって互いに連結されて扉１に固定される。
【００２８】
扉１の埋め込み部には、電気錠装置１００の鍵ケース１０３が収容される。鍵ケース１０３の一端にはフロント基板１０４が設けられている。鍵ケース１０３には施解錠機構が収容されている。施解錠機構は、デッドボルト１０５を備え、このデッドボルト１０５をフロント基板１０４に設けられた開口部１０６を通じてフロント基板１０４の外側の表面より突出した施錠位置（図２に示す位置）と、フロント基板１０４の外側の表面より後退した解錠位置との間で移動させるためのデッドボルト駆動機構とを有する。デッドボルト駆動機構は、例えばモータやソレノイド等の動力源と、動力源の動力によりデッドボルト１０５を施錠位置と解錠位置との間で移動させるメカ系と、動力源を駆動する駆動回路とを備える。デッドボルト１０５は、施錠位置に在るとき、扉枠に取り付けられた受座（ストライク）のデッドボルト拘束用の凹部に挿入される。
【００２９】
また、鍵ケース１０３にはラッチボルト１０７が設けられている。このラッチボルト１０７は、フロント基板１０４に設けられた開口部１０８を通じてフロント基板１０４の外側の表面より突出した仮締め位置と、フロント基板１０４の外側の表面より後退した仮締め解除位置との間で進退移動自在に設けられている。ラッチボルト１０７はレバーハンドル１０９と連結され、レバーハンドル１０９の回動操作に連動して進退移動するように構成されている。レバーハンドル１０９は、軸部１０９ａと、軸部１０９ａの両端に設けられたハンドル部１０９ｂとで構成される。レバーハンドル１０９の各々のハンドル部１０９ｂは、室外側のケース１０１の室外側の表面と、室内側のケース１０２の室内側の表面よりそれぞれ突出させてある。ハンドル部１０９ｂは、人がそれを手で容易に回動操作することができるように、軸部１０９ａの軸方向（扉１の厚み方向）に対して直交するラジアル方向に軸部１０９ａから屈曲させた形状をなしている。そしてレバーハンドル１０９は、操作されていない間は、電気錠装置１００に設けられた図示しない弾性部材による付勢力によって、ラッチボルト１０７が仮締め位置にあるときの所定の回動位置に定位している。
【００３０】
電気錠装置１００には、さらに、送受信アンテナ１１８が設けられている。図２では、送受信アンテナ１１８として平面アンテナを採用し、この平面アンテナである送受信アンテナ１１８を室外側のケース１０１に取り付けた場合を想定している。但し、送受信アンテナ１１８は、必ずしも平面アンテナである必要はない。
【００３１】
電気錠装置１００には、さらに解錠ボタン１１９が設けられている。この解錠ボタン１１９は、ユーザ３からの解錠のための無線通信の開始指示を受け付けるための手段である。図２では、解錠ボタン１１９は、室外側のケース１０１の正面の位置に設けられている。
【００３２】
［電気錠装置１００の電気的な構成］
図３は、電気錠装置１００の電気的な構成を示すブロック図である。
同図に示すように、電気錠装置１００は、コントローラ１１０と、無線通信制御部１１２と、解錠ボタン操作検知部１１３と、施解錠駆動部１１４と、バッテリ部１１５とをさらに備える。
【００３３】
コントローラ１１０は、ＣＰＵ（Central Processing Unit）と、メインメモリ、ＲＯＭ（Read Only Memory）などで構成され、電気錠装置１００の全体的な制御を行う。
【００３４】
解錠ボタン操作検知部１１３は、解錠ボタン１１９の操作を検知してコントローラ１１０に検知結果を通知する。
【００３５】
無線通信制御部１１２は、上記の送受信アンテナ１１８を用いて携帯端末２００との間での無線通信のための制御を行う。無線通信制御部１１２は、コントローラ１１０から無線通信の開始の指示を受けると、送受信アンテナ１１８を使った無線通信のシーケンスを実行する。例えば、通信相手の検索処理、通信相手との接続処理、上記の認証情報などのメッセージの送受信などを実行する。
【００３６】
施解錠駆動部１１４は、コントローラ１１０からの施解錠に関する制御信号に従って施解錠機構１２０のデッドボルト駆動機構１２１を駆動する。施解錠駆動部１１４は、コントローラ１１０より施錠のための制御信号を受けると、デッドボルト１０５を施錠位置に移動させるようにデッドボルト駆動機構１２１を駆動する。また、施解錠駆動部１１４は、コントローラ１１０より解錠のための制御信号を受けると、デッドボルト１０５を施錠位置から解錠位置に移動させるようにデッドボルト駆動機構１２１を駆動する。
【００３７】
バッテリ部１１５は、電気錠装置１００を動作させるために必要な電力を供給する。バッテリ部１１５は、例えば、一次電池、あるいはリチウム電池などの二次電池などの電池と、電池から各部への電力の供給を制御する電源回路とを有する。
【００３８】
この電気錠装置１００は電力的にスタンドアロンの形式をとっている。すなわち、電気錠装置１００はバッテリ部１１５の電力のみを使用でき、外部、例えば商用電源を取り込んで利用するようには構成されていない。このように電力的にスタンドアロンの形式の電気錠装置１００は、取り付け場所に電源を引き込むための工事が不要であるなどの多くの利点を有する。その反面、電池の交換のための定期的な保守や、省電力化のための改良が必要である。
【００３９】
本実施形態の電気錠装置１００には省電力化のために省電力モードとノーマルモードが用意されている。
省電力モードは、必要な場合にのみ、送受信アンテナ１１８からの電波の放出をオンにさせるモードである。これに対してノーマルモードは送受信アンテナ１１８からの電波の放出を定常的にオンにさせるモードである。
【００４０】
省電力モード時は、コントローラ１１０は、解錠ボタン操作検知部１１３からの解錠ボタン操作の検知結果を待機し、解錠ボタン操作の検知結果を受けると、無線通信制御部１１２に無線通信の開始を指示する。これにより、解錠ボタン１１９が操作されない限り、電気錠装置１００の送受信アンテナ１１８から電波が放出されず、バッテリ部１１５の電力が無駄に消費されるのを防止できる。
【００４１】
［携帯端末２００の構成］
次に、携帯端末２００の構成を説明する。
図４は携帯端末２００の外観を示すブロック図である。
図５は携帯端末２００の電気的な構成を示すブロック図である。
【００４２】
これらの図に示すように、携帯端末２００は、ＣＰＵ２０１、メインメモリ２０２、不揮発性メモリ２０３、ディスプレイ２０４、タッチパネル２０５、送受信アンテナ２０６、無線通信制御部２０７、電話機能部２０８、システムバス２０９などを備えて構成される。
【００４３】
ＣＰＵ２０１は、メインメモリ２０２にロードされたアプリケーションプログラムを実行するための演算および各部の制御を行う。
メインメモリ２０２は、ＣＰＵ２０１によって実行されるアプリケーションプログラム、演算途中のデータ、各種のフラグなどを記憶する。
【００４４】
不揮発性メモリ２０３は、アプリケーションプログラムに従ってユーザ３により設定された暗証番号などを格納する。
【００４５】
ディスプレイ２０４は、アプリケーションプログラムの実行画面（図４の符号２１０）などを表示する。
【００４６】
タッチパネル２０５は、ディスプレイ２０４と一体化して設けられ、アプリケーションプログラムの実行画面においてユーザ３により選択された座標データを入力する。座標データは、アプリケーションプログラムに従ってたとえばテンキーの各々のキーに割り当てられたコードに変換される。
【００４７】
無線通信制御部２０７は、送受信アンテナ２０６を用いて電気錠装置１００との間での無線通信のための制御を行う。
【００４８】
携帯端末２００のＣＰＵ２０１は、メインメモリ２０２に格納された電気錠解錠用のアプリケーションプログラムにしたがって、電気錠装置１００を解錠させるための一連の制御を実行する。
【００４９】
［電気錠システム１０の動作］
図６は、電気錠解錠用のアプリケーションプログラムに基づく携帯端末２００の動作を示すフローチャートである。
【００５０】
携帯端末２００において電気錠解錠用のアプリケーションプログラムが起動されると（ステップＳ１０１）、携帯端末２００のＣＰＵ２０１は、このアプリケーションプログラムに従って、解錠用の暗証番号をユーザ３に入力させるためのテンキーなどの入力環境をディスプレイ２０４に表示させる（ステップＳ１０２）。
【００５１】
次に、ＣＰＵ２０１は、テンキーなどの入力環境を使ってユーザ３より入力された暗証番号を取得し（ステップＳ１０３）、この暗証番号が正しい番号であるかどうかを判定する認証処理を行う（ステップＳ１０４）。
【００５２】
なお、正しい暗証番号は、アプリケーションプログラムに従ってユーザ３によって予め設定され、不揮発性メモリ２０３内の決められた場所に格納される。格納された暗証番号は暗号化されることが望ましい。認証処理を行う場合には、暗号化に用いられた鍵情報を用いて復元すればよい。
【００５３】
上記の認証処理で認証に失敗した場合（ステップＳ１０４の認証ＮＧ）、ＣＰＵ２０１は、アプリケーションプログラムに従って暗証番号の再入力を促す（ステップＳ１０６）。ここで、暗証番号の認証に連続してｎ回失敗した場合には（ステップＳ１０５のＹＥＳ）、ＣＰＵ２０１は、暗証番号の入力による解錠処理を強制終了させる（ステップＳ１０７）。このような事態が発生した場合には、ユーザ３は管理者にその旨を申し出て、管理者権限での暗証番号の再設定のためのリセットなどが行われる必要がある。このリセットにより、アプリケーションプログラムは初期状態に戻り、ユーザ３による暗証番号の設定をやり直すことが可能になる。
【００５４】
上記の認証処理で認証に成功した場合（ステップＳ１０４の認証ＯＫ）、ＣＰＵ２０１は、認証成功フラグをセットして、認証成功の状態を保持する（ステップＳ１０８）。この後、ＣＰＵ２０１は、送受信アンテナ２０６を用いた無線通信によるデバイス探索を開始させるように無線通信制御部２０７に指示を出す。これにより、携帯端末２００において無線通信によるデバイス探索が開始される（ステップＳ１０９）。
【００５５】
以降の携帯端末２００の動作は、電気錠装置１００が省電力モードで動作しているかノーマルモードで動作しているかによって異なる。
【００５６】
［ノーマルモード時の動作］
図７は、電気錠装置１００がノーマルモードで動作している場合の電気錠装置１００と携帯端末２００の動作を示すフローチャートである。
【００５７】
ノーマルモードでは、電気錠装置１００の送受信アンテナ１１８からデバイス探索のための電波が定常的に放出されているため、携帯端末２００を所持するユーザ３が扉１に接近したり、電気錠装置１００の送受信アンテナ１１８の面に携帯端末２００を接近させたりすることによって、相互の無線通信によるデバイス探索を経て相互の接続が完了する（ステップＳ２０１、Ｓ１１０）。
【００５８】
携帯端末２００のＣＰＵ２０１は、電気錠装置１００と接続されると、暗証番号の認証に成功したことを示す認証成功フラグをセットするとともに、同じく暗証番号の認証に成功したことを示す認証情報を電気錠装置１００に無線で送信する（ステップＳ１１１）。
【００５９】
電気錠装置１００のコントローラ１１０は、携帯端末２００からの認証情報を受信すると（ステップＳ２０２）、この認証情報の正当性を判定する（ステップＳ２０３）。認証情報は、電気錠装置１００のコントローラ１１０において予め固定的に決められたコード列などであってよい。認証情報が正当なものであれば（ステップＳ２０３のＯＫ）、コントローラ１１０は、施解錠駆動部１１４に対して解錠のための制御信号を出力する。施解錠駆動部１１４は、コントローラ１１０からの解錠のための制御信号に従って、デッドボルト１０５を解錠位置に移動させるようにデッドボルト駆動機構１２１を駆動する。これにより、電気錠装置１００が解錠される（ステップＳ２０４）。さらに、電気錠装置１００のコントローラ１１０は、解錠の完了を携帯端末２００に無線通信により通知する（ステップＳ２０５）。
【００６０】
携帯端末２００のＣＰＵ２０１は、この解錠の完了の通知を受けると、認証成功フラグをリセットする（ステップＳ１１２）。
【００６１】
なお、電気錠装置１００をノーマルモードで動作させる場合、無線通信方式にはＮＦＣあるいはBluetooth（登録商標）など、通信距離が比較的短い方式を採用すべきである。ノーマルモードでは、互いに通信可能距離内に接近しただけで接続されてしまう可能性があるため、電気錠装置１００が解錠されるタイミングが、実際にユーザ３が扉１を開放操作するタイミングより早すぎる場合が発生しかねない。したがって、通信距離がより短いＮＦＣがより好適である。
【００６２】
［省電力モード時の動作］
次に、電気錠装置１００が省電力モードで動作している場合を説明する。
図８は、電気錠装置１００が省電力モードで動作している場合の電気錠装置１００と携帯端末２００の動作を示すフローチャートである。
【００６３】
この場合、電気錠装置１００の送受信アンテナ１１８からデバイス探索のための電波ははじめからは放出されていない。したがって、携帯端末２００を所持するユーザ３が扉１に接近しただけでは双方間での無線通信は開始されない。すなわち、電気錠装置１００が省電力モードで動作している場合、携帯端末２００を所持するユーザ３は、電気錠装置１００の解錠ボタン１１９を操作しなければならない。
【００６４】
解錠ボタン１１９がユーザ３によって操作されると、解錠ボタン操作検知部１１３によってそのことが検知され、解錠ボタン操作検知部１１３からコントローラ１１０に検知信号が供給される（ステップＳ２０６）。
【００６５】
電気錠装置１００のコントローラ１１０は、この検知信号を受けると、送受信アンテナ１１８を用いた無線通信によるデバイス探索を開始させるように無線通信制御部１１２に指示を出す。これにより、電気錠装置１００において送受信アンテナ１１８を用いた無線通信によるデバイス検索が実行される（ステップＳ２０７）。
【００６６】
デバイス検索以降の動作はノーマルモード時と同じである。
すなわち、携帯端末２００を所持するユーザ３が扉１に接近したり、電気錠装置１００の送受信アンテナ１１８の面に携帯端末２００を接近させたりすることによって、相互の無線通信によるデバイス探索を経て相互の接続が完了する（ステップＳ２０１、Ｓ１１０）。この後、認証成功フラグがセットされ、携帯端末２００から電気錠装置１００に認証情報が送信され（ステップＳ２０２、Ｓ１１１）、電気錠装置１００にてその認証情報の確認が行われ（ステップＳ２０３）、解錠（ステップＳ２０４）、解錠完了の通知（ステップＳ２０５）、そして携帯端末２００での認証成功フラグのリセットが行われる（ステップＳ１１２）。
【００６７】
なお、電気錠装置１００を省電力モードで動作させる場合、無線通信方式にはＮＦＣ、Bluetooth（登録商標）、Ｗｉ−Ｆｉ ｄｉｒｅｃｔなど、どの方式を採用してもよい。但し、通信可能範囲が大きいほど、携帯端末２００のユーザ３は扉１から離れた位置で暗証番号を入力して認証を開始させることができるという意味で、Ｗｉ−Ｆｉ ｄｉｒｅｃｔなどのＷｉ−Ｆｉ方式がより好適である。また、通信可能範囲が大きいほど電力消費量が高いので、省電力モードによる省電力効果が活きる。
【００６８】
［本実施形態の効果］
以上、本実施形態の電気錠システム１０によれば、次のような効果を得ることができる。
１．この電気錠システム１０では、携帯端末２００と電気錠装置１００との無線接続の状態に関わらず、ユーザ３からの暗証番号の入力、暗証番号の認証などが携帯端末２００上で完結する。このため、ユーザ３は、随時、移動しながらであっても暗証番号を入力できる。これにより、扉１の前でのユーザ３の停留時間を短縮できる。
【００６９】
２．電気錠装置１００での暗証番号の管理が不要になるため、電気錠装置１００において、例えば、暗証番号の登録／変更などのためのプログラムが不要になり、電気錠装置１００内のメモリの容量などのリソースを低減できる。
【００７０】
３．無線通信方式として、ＮＦＣなどの通信距離が短い方式とノーマルモードとを組み合わせることによって、暗証番号の認証に成功したユーザ３以外の者が、扉１を通過してしまう危険を低減することができる。
【００７１】
４．解錠ボタン１１９がユーザ３により操作されてはじめて電気錠装置１００の送受信アンテナ１１８を用いた無線通信によるデバイス探索を開始させる省電力モードを用意したことによって、電気錠装置１００の消費電力を大幅に低減することができる。特に電池の電力だけで動作させるスタンドアロンタイプの電気錠装置１００において、電池交換サイクルを引き伸ばすことができるなど、保守の簡素化を図れる。
【００７２】
５．さらに、本実施形態によれば、ユーザ３毎に好きな暗証番号を使用することができ、ユーザ３の操作性が向上する。
【００７３】
次に、上記の実施形態にかかる変形例を説明する。
＜変形例１＞
携帯端末２００から電気錠装置１００に送信される認証情報は、ユーザ３のＩＤ、携帯端末２００に対して割り当てられたデバイスＩＤを含むものであってよい。
この場合、電気錠装置１００に、ユーザ３のＩＤとデバイスＩＤとの組み合わせが予め登録されている必要がある。電気錠装置１００のコントローラ１１０は、当該認証情報を受信すると、これに含まれるユーザ３のＩＤとデバイスＩＤとの組み合わせと、予め記憶されているユーザ３のＩＤとデバイスＩＤとの組み合わせとを照合し、一致する場合に解錠を行う。
【００７４】
＜変形例２＞
上記の実施形態では、認証情報は、電気錠装置１００のコントローラ１１０において予め固定的に決められたコード列などを使用することとしたが、本発明はこれに限定されるものではない。例えば、認証情報は、携帯端末２００と電気錠装置１００との間での無線による交信を通じて、管理者などの特定のユーザ３が任意に変更することができるようにしてもよい。変更された認証情報は携帯端末２００の半導体メモリ２０３に格納され、暗証番号の認証処理で一致した場合に、その半導体メモリ２０３から読み出されて電気錠装置１００に無線で送信される。
【００７５】
その他、本発明は、上述の実施形態にのみ限定されるものではなく、本発明の要旨を逸脱しない範囲内において種々変更を加え得ることは勿論である。
【符号の説明】
【００７６】
１０…電気錠システム
１００…電気錠装置
１１０…コントローラ
１１２…無線通信制御部
１１３…解錠ボタン操作検知部
１１４…施解錠駆動部
１１５…バッテリ部
１１８…送受信アンテナ
１１９…解錠ボタン
１２０…施解錠機構
１２１…デッドボルト駆動機構
２００…携帯端末
２０１…ＣＰＵ
２０２…メインメモリ
２０３…不揮発性メモリ
２０４…ディスプレイ
２０５…タッチパネル
２０６…送受信アンテナ
２０７…無線通信制御部
２０８…電話機能部
【図１】
2014190122.tif 000003
【図２】
2014190122.tif 000004
【図３】
2014190122.tif 000005
【図４】
2014190122.tif 000006
【図５】
2014190122.tif 000007
【図６】
2014190122.tif 000008
【図７】
2014190122.tif 000009
【図８】
2014190122.tif 000010